(57)【要約】      （修正有）【課題】ディスクの着脱をスムーズに行ない得るディスクトレイを提供する。【解決手段】ディスク収容用凹部１４と取出し用凹部１６とを有するトレイ本体１２と、トレイ本体１２の中央部に配設された被押圧部材２０と、被押圧部材２０をトレイ本体１２に連結する複数の連結部材２２と、ディスクをディスク収容用凹部１４の底面から浮上した状態で載置させる複数の保持部材２４と、連結部材２２と保持部材２４の、被押圧部材２０の周縁に対向する各先端部にそれぞれ設けられ、ディスクの中央孔の内周縁を係止する中央突出部２６と、ディスク収容用凹部１４の底面から浮上した状態のディスクの周縁を係止する掛止爪とを備えた。【選択図】図１
0003144403.tif 000002
【実用新案登録請求の範囲】
【請求項１】
収容すべきディスクより僅かに大きい径の円板状に窪んだディスク収容用凹部とこのディスク収容用凹部が外側に向けて拡張された形状となるように設けられた取出し用凹部とを有するトレイ本体と、
前記トレイ本体の中央部に前記ディスク収容用凹部の底面から浮上した状態で配設された被押圧部材と、
前記被押圧部材の周縁部の周囲数箇所と前記トレイ本体とを連結する複数の連結部材と、
前記複数の連結部材に隣接し、かつ前記被押圧部材に対して離間して配設され、前記ディスクを前記ディスク収容用凹部の底面から浮上した状態で載置させる複数の保持部材と、
前記連結部材と前記保持部材の、前記被押圧部材の周縁に対向する各先端部にそれぞれ設けられ、前記ディスクの中央孔の内周縁を係止する中央突出部と、
前記連結部材の中央突出部に設けられ、前記ディスク収容用凹部の底面から浮上した状態の前記ディスクの周縁を係止する掛止爪とを備えたことを特徴とするディスクトレイ。
【請求項２】
請求項１に記載のディスクトレイにおいて、
前記被押圧部材は、短尺の円筒型をなし、その周縁部の周囲数箇所に連結された前記複数の連結部材により持ち上げられていることを特徴とするディスクトレイ。
【請求項３】
請求項１または２に記載のディスクトレイにおいて、
前記複数の連結部材は、それぞれ平面が矩形状をなし、互いに適当間隔を置いて前記被押圧部材の周囲に放射状に配設され、前記中央突出部の頂部に掛止爪が設けられていることを特徴とするディスクトレイ。
【請求項４】
請求項１乃至３のいずれかに記載のディスクトレイにおいて、
前記複数の保持部材は、それぞれ平面が扇状をなし、前記被押圧部材に向かう先端部が浮上するように傾斜しており、中間部に、前記ディスクを前記ディスク収容用凹部の底面から浮上した状態で載置させる支持突出部を有することを特徴とするディスクトレイ。
【請求項５】
請求項１乃至４のいずれかに記載のディスクトレイにおいて、
全体構成を透明な合成樹脂で形成したことを特徴とするディスクトレイ。
【請求項６】
請求項１乃至５のいずれかに記載のディスクトレイにおいて、
折部を介して開閉可能に連接される一対の紙面からなる台紙で包覆したことを特徴とするディスクトレイ。
【請求項７】
請求項１乃至６のいずれかに記載のディスクトレイにおいて、
前記取出し用凹部が前記ディスク収容用凹部を外側に向けて半円状に拡張した形状とされ、かつ前記取出し用凹部の底面に円形凹部を設けたことを特徴とするディスクトレイ。
【考案の詳細な説明】
【技術分野】
【０００１】
本考案は、ＤＶＤ（デジタルビデオディスク）、ＣＤ（コンパクトディスク）、ＣＤ−ＲＯＭ等のような円盤状のディスク（以下、単にディスクという。）を収容するディスクトレイに関する。
【背景技術】
【０００２】
この種のディスクは大きさや形状が規格統一されている。従来からこれを利用してディスクを収容しうるように形成されたディスクトレイ（ケース）がある。従来のディスクトレイにはディスクの中央孔に緊密に嵌合しうる突出部を設けると共に、この突出部に複数の切込み等を設けて突出部を押圧縮径できるようにしたものがある（特許文献１参照）。
【特許文献１】特開２００５−２０３０６８号公報
【考案の開示】
【考案が解決しようとする課題】
【０００３】
既知の従来の技術には、次のような解決すべき課題があった。
従来のディスクトレイ（ケース）は、ディスクを取り出すために突出部を押圧しても突出部がスムーズに縮径しないことが多い。このためにディスクが突出部から容易に離脱し得ない。このときはディスクを強制的に引き出すためにディスクを損傷するおそれがある。
本考案は、上記の課題を解決するためになされたもので、ディスクの着脱をスムーズに行ない得るディスクトレイを提供することを目的とする。
【課題を解決するための手段】
【０００４】
以下の構成はそれぞれ上記の課題を解決するための手段である。
〈構成１〉
収容すべきディスクより僅かに大きい径の円板状に窪んだディスク収容用凹部とこのディスク収容用凹部が外側に向けて拡張された形状となるように設けられた取出し用凹部とを有するトレイ本体と、上記トレイ本体の中央部に上記ディスク収容用凹部の底面から浮上した状態で配設された被押圧部材と、上記被押圧部材の周縁部の周囲数箇所と上記トレイ本体とを連結する複数の連結部材と、上記複数の連結部材に隣接し、かつ上記被押圧部材に対して離間して配設され、上記ディスクを上記ディスク収容用凹部の底面から浮上した状態で載置させる複数の保持部材と、上記連結部材と上記保持部材の、上記被押圧部材の周縁に対向する各先端部にそれぞれ設けられ、上記ディスクの中央孔の内周縁を係止する中央突出部と、上記連結部材の中央突出部に設けられ、上記ディスク収容用凹部の底面から浮上した状態の上記ディスクの周縁を係止する掛止爪とを備えたことを特徴とするディスクトレイ。
【０００５】
ディスクをディスク収容用凹部に収容するとき、中央孔を連結部材と保持部材とにそれぞれ設けられた中央突出部に嵌合することにより自動的に位置決めされる。ディスクがディスク収容用凹部に収容されて中央孔の内周縁が掛止爪に係止されている状態において被押圧部材を押圧することにより、掛止爪による係止が簡単に解除されてディスクがフリー状態になるので容易に取り出すことができる。
【０００６】
〈構成２〉
構成１に記載のディスクトレイにおいて、上記被押圧部材は、短尺の円筒型をなし、その周縁部の周囲数箇所に連結された上記複数の連結部材により持ち上げられていることを特徴とするディスクトレイ。
【０００７】
被押圧部材と複数の連結部材とがトレイ本体に一体に連結され、複数の連結部材の弾力により被押圧部材がトレイ本体の厚さ方向に往復動可能に安定して支持される。
【０００８】
〈構成３〉
構成１または２に記載のディスクトレイにおいて、上記複数の連結部材は、それぞれ平面が矩形状をなし、互いに適当間隔を置いて上記被押圧部材の周囲に放射状に配設され、上記中央突出部の頂部に掛止爪が設けられていることを特徴とするディスクトレイ。
【０００９】
連結部材の中央突出部に設けられた掛止爪は、被押圧部材の上下往復動により連結部材が傾斜面状態と平面状態とを繰り返すことになり、被押圧部材の径方向に向かって僅かに往復動する。こうして掛止爪はディスクの中央孔の内周縁に対して係止あるいはその解除を行なう。
【００１０】
〈構成４〉
構成１乃至３のいずれかに記載のディスクトレイにおいて、上記複数の保持部材は、それぞれ平面が扇状をなし、上記被押圧部材に向かう先端部が浮上するように傾斜しており、中間部に、上記ディスクを上記ディスク収容用凹部の底面から浮上した状態で載置させる支持突出部を有することを特徴とするディスクトレイ。
【００１１】
複数の保持部材がそれぞれトレイ本体に一体に連結され、ディスク収容用凹部に収容されたディスクが安定よく支持される。
【００１２】
〈構成５〉
構成１乃至４のいずれかに記載のディスクトレイにおいて、全体構成を透明な合成樹脂で形成したことを特徴とするディスクトレイ。
【００１３】
トレイ本体内のディスクの収容状況をよく見分けることができる。
【００１４】
〈構成６〉
構成１乃至５のいずれかに記載のディスクトレイにおいて、折部を介して開閉可能に連接される一対の紙面からなる台紙で包覆したことを特徴とするディスクトレイ。
【００１５】
台紙はディスクに収まった電子媒体の情報等を表示したり、トレイ本体の蓋体としての役割がある。
【００１６】
〈構成７〉
構成１乃至６のいずれかに記載のディスクトレイにおいて、上記取出し用凹部が上記ディスク収容用凹部を外側に向けて半円状に拡張した形状とされ、かつ上記取出し用凹部の底面に円形凹部を設けたことを特徴とするディスクトレイ。
【００１７】
ディスクトレイを台紙に糊付けした後に、透明なディスクトレイの上面から透視したとき、広がった糊が円形凹部内に区切られた形となって極薄に着色した状態となっており、これがすっきり見えるという効果を奏する。すなわち、糊付けにより外観が損なわれないという効果が期待できる。
【考案を実施するための最良の形態】
【００１８】
以下、本考案の実施の形態を実施例に基づいて詳細に説明する。
【実施例１】
【００１９】
図１（ａ）は実施例１のディスクトレイ１０を示す平面図、（ｂ）は同正面図である。図２は図１のＡ-Ａ線に沿う拡大断面図である。図３は図１のＢ-Ｂ線に沿う拡大断面図である。図４はディスクトレイ１０の使用状況を示す断面図である。
【００２０】
ディスクトレイ１０は、ディスク収容用凹部１４及び取出し用凹部１６を有するトレイ本体１２と、トレイ本体１２の中央部に配設された被押圧部材２０と、被押圧部材２０をトレイ本体１２に連結する３枚の連結部材２２と、ディスク３２（図４）を浮上した状態で載置させる３枚の保持部材２４と、ディスク３２の中央孔３４（図４）の内周縁を係止する中央突出部２６、２７と、浮上した状態で収容されたディスク３２を係止する掛止爪３０とを備え、全体構成が透明な合成樹脂により平面ほぼ正方形に形成されている。
【００２１】
トレイ本体１２のディスク収容用凹部１４は、収容すべきディスク３２より僅かに大きい径の円板状に窪んだ形状を有している。ディスク収容用凹部１４の周囲４箇所にディスク３２の外縁部を載置する段部１５が設けられている。取出し用凹部１６は、ディスク収容用凹部１４が外側に向けて拡張された形状を有しており、さらに取出し用凹部１６の底面に円形凹部１８が設けられている。
【００２２】
被押圧部材２０は、トレイ本体１２の中央部にディスク収容用凹部１４の底面１４Ａから浮上した状態で配設されている。被押圧部材２０は、短尺の円筒型をなし、その周縁部の周囲３箇所に連結された３枚の連結部材２２により持ち上げられている。被押圧部材２０と３枚の連結部材２２とはトレイ本体１２に一体に連結され、３枚の連結部材２２の弾力により被押圧部材２０をトレイ本体１２の厚さ方向に往復動可能に支持している。
【００２３】
３枚の連結部材２２は、被押圧部材２０の周縁部をトレイ本体１２に連結するもので、それぞれ平面が矩形状をなし、かつ被押圧部材２０に向かう先端部が浮上するように傾斜している。３枚の連結部材２２とトレイ本体１２との連結部にクッション溝２３が設けられている。クッション溝２３は連結部材２２がトレイ本体１２との連結部を支点としてスムーズに傾動できるようにする役割がある。
【００２４】
３枚の連結部材２２は、互いに適当間隔を置いて被押圧部材２０の周囲に放射状に配設され、中央突出部２６近傍に透孔３６が設けられている。被押圧部材２０と中央突出部２６と間に溝２５が設けられている。
【００２５】
中央突出部２６の頂部に、ディスク３２の中央孔３４の内周縁を係止する掛止爪３０が設けられている。掛止爪３０は、被押圧部材２０が上下往復動して連結部材２２が傾斜面状態と平面状態となることにより、被押圧部材２０に向かって僅かに往復動する。こうして掛止爪３０はディスク３２の中央孔３４の内周縁に対して係止あるいはその解除の動きをする。
【００２６】
３枚の保持部材２４は、３枚の連結部材２２に互いに隣接し、かつ被押圧部材２０に対して離間して配設され、ディスク３２をディスク収容用凹部１４の底面１４Ａから浮上した状態で載置させる。３枚の保持部材２４は、それぞれ平面が扇状を呈し、被押圧部材２０に向かう先端部が浮上するように傾斜した状態でそれぞれトレイ本体１２に一体に連結されている。中間部には、ディスク３２をディスク収容用凹部１４の底面１４Ａから浮上した状態で載置させる支持突出部２８が設けられている。
【００２７】
３枚の連結部材２２の、被押圧部材２０の周縁に対向する各先端部にそれぞれ中央突出部２６が設けられている。また、３枚の保持部材２４の、被押圧部材２０の周縁に対向する各先端部にそれぞれ中央突出部２７が設けられている。これらの中央突出部２６、２７は、被押圧部材２０の周囲を囲むように円形をなして配置され、ディスク３２の中央孔３４の内周縁を係止する役割がある。連結部材２２の中央突出部２６に、ディスク収容用凹部１４の底面１４Ａから浮上した状態のディスク３２の周縁を係止する掛止爪３０が設けられている。
【００２８】
次に、図４によりディスクトレイ１０の使用状態を説明する。
先ず、図４（ａ）に示すように、収容すべきディスク３２を、ディスクトレイ１０上に載置して上方から押し、中央孔３４を中央突出部２６、２７に嵌め込むことにより、図４（ｂ）に示すようにディスク収容用凹部１４内に収容する。
【００２９】
図４（ｂ）に示す状態からディスク３２をディスクトレイ内から取り出す場合にはディスクトレイの被押圧部材２０を押圧して図４（ｃ）に示すように、ディスク収容用凹部１４の底面１４Ａに当接させる。被押圧部材２０がディスク収容用凹部１４の底面１４Ａに当接する動きの過程で、中央突出部２６の掛止爪３０が被押圧部材２０側に後退してディスク３２の係止を解除し、被押圧部材２０がディスク３２の中央孔３４内を通過し、図４（ｃ）に示すようにディスク３２の下面に位置するようになる。
【００３０】
次に、被押圧部材２０の押圧を解除することにより、連結部材２２がその弾力で復元し掛止爪３０の上面でディスク３２を押し上げ、図４（ｄ）に示すようになる。図４（ｄ）に示す状態では掛止爪３０による係止が解除されてディスク３２がフリー状態であるから、ディスクトレイ１０から容易に取り上げることができる。
【００３１】
ディスクトレイ１０は、例えば、図５に示すように台紙３８で包覆して使用される。台紙３８は、折部を介して開閉可能に連接される一対の紙面４０から形成され、ディスクトレイ１０に糊付けされる。台紙３８はディスク３２に収まった電子媒体の情報を表示したり、トレイ本体１２の蓋体としての役割がある。なお、ディスクトレイ１０は、図６に示すようにトレイ本体１２が平面長方形に形成され、これを台紙３８で包覆してもよい。
【００３２】
ディスクトレイ１０を台紙３８に糊付けするとき、取出し用凹部１６の背面の、浅い円形凹部１８（図３）の中心部に対応する箇所に、半液状の糊を適量滴下させ台紙３８に押し付けることにより、当該糊が均一に広がってその外輪が円形凹部１８の輪郭１９にほぼ一致し、この状態で乾くようになる。
【００３３】
このため、台紙３８に糊付けをした後に、透明なディスクトレイ１０の上面から透視したとき、広がった糊が円形凹部１８内に区切られた形となって極薄に着色した状態となっており、これがすっきり見えるという効果を奏する。すなわち、糊付けにより外観が損なわれることがないという効果が期待できる。
【図面の簡単な説明】
【００３４】
【図１】（ａ）は実施例１のディスクトレイを示す平面図、（ｂ）は同正面図である。
【図２】図１のＡ-Ａ線に沿う拡大断面図である。
【図３】図１のＢ-Ｂ線に沿う拡大断面図である。
【図４】同ディスクトレイの使用状況を示す図で、（ａ）はディスクをディスクトレイ内に収容する直前の状態を示す断面図、（ｂ）はディスクをディスクトレイ内に収容した状態を示す断面図、（ｃ）はディスクをディスクトレイ内から取り出すために、ディスクトレイの被押圧部材を押圧した状態を示す断面図、（ｄ）は被押圧部材の押圧を解除した状態を示す断面図である。
【図５】同ディスクトレイを折部を介して開閉可能に連接される一対の紙面からなる台紙で包覆した状態を示す斜視図である。
【図６】実施例１のディスクトレイを折部を介して開閉可能に連接される一対の紙面からなる台紙で包覆した状態を示す斜視図である。
【符号の説明】
【００３５】
１０  ディスクトレイ
１２  トレイ本体
１４  ディスク収容用凹部
１５  段部
１６  取出し用凹部
１８  円形凹部
１９  円形凹部の輪郭
２０  被押圧部材
２２  連結部材
２３  クッション溝
２４  保持部材
２５  溝
２６、２７  中央突出部
２８  支持突出部
３０  掛止爪
３２  ディスク
３４  中央孔
３６  透孔
３８  台紙
４０  紙面
【図１】
0003144403.tif 000003
【図２】
0003144403.tif 000004
【図３】
0003144403.tif 000005
【図４】
0003144403.tif 000006
【図５】
0003144403.tif 000007
【図６】
0003144403.tif 000008